(57)【要約】【課題】レベル本体を手で持たなくとも、管体やダクトの垂直度および水平度を測定することができ、これらの管体やダクトを建築物の壁面など取り付ける作業を両手で行えるようにした水準器を提供する。【解決手段】透明の合成樹脂製とした略直方体形状の二個のレベル本体１、２を組み合わせてなり、一方のレベル本体１の短手方向の内部に、水平度を測定するための透明の気泡管部３を水平方向に設け、前記気泡管部３と直交する方向のレベル本体１の側壁面に、磁石Ｍ1 を取り付けたものとし、他方のレベル本体２の長手方向の内部に、垂直度を測定するための透明の気泡管部５を垂直方向に設け、前記気泡管部５と平行な方向のレベル本体２の側壁面に、前記レベル本体１に取り付けた磁石Ｍ1 に対向して、この磁石Ｍ1 と引き合う磁石Ｍ2 を取り付けたものとしている。【選択図】    図１
0003161116.tif 000002
【実用新案登録請求の範囲】
【請求項１】
透明の合成樹脂製とした略直方体形状の二個のレベル本体（１、２）を組み合わせてなり、一方のレベル本体（１）の短手方向の内部に、水平度を測定するための透明の気泡管部（３）を水平方向に設け、前記気泡管部（３）と直交する方向のレベル本体（１）の側壁面に、磁石（Ｍ1 ）を取り付けたものとし、他方のレベル本体（２）の長手方向の内部に、垂直度を測定するための透明の気泡管部（５）を垂直方向に設け、前記気泡管部（５）と平行な方向のレベル本体（２）の側壁面に、前記レベル本体（１）に取り付けた磁石（Ｍ1 ）に対向して、この磁石（Ｍ1 ）と引き合う磁石（Ｍ2 ）を取り付けたことを特徴とする水準器。
【請求項２】
前記一方のレベル本体（１）の略直方体形状の任意の角部において、前記気泡管部（３）に４５度の角度で交差する向きに透明の気泡管部（４）を設けたことを特徴とする請求項１記載の水準器。
【請求項３】
前記他方のレベル本体（２）の前後壁面において、前記磁石（Ｍ2 ）を取り付けた側壁面と対向する他方の側壁面の近傍に、この側壁面と平行に長溝（１２ａ、１２ｂ）を対向させて形成したものとし、さらに前記長溝（１２ａ、１２ｂ）に嵌合して、前記レベル本体（２）を被測定物に設置するようにしたホルダー（１３）を組み合わせたことを特徴とする請求項１または２記載の水準器。
【請求項４】
前記ホルダー（１３）を、縦長の枠体からなる保持体（１４）に止着ベルト（１５）を取り付け、この止着ベルト（１５）を被測定物に巻装して、前記レベル本体（２）を被測定物に設置できるようにしたことを特徴とする請求項３記載の水準器。
【考案の詳細な説明】
【技術分野】
【０００１】
この考案は、建築物の壁面などにおいて、ガス管、水道管などの配管を行ったり、エアコンなどの空調被覆銅管の配管を行ったり、これらの管体を保護するダクトの配設を行う場合に、これらの管体やダクトを正確な向きに取り付けるために用いられる水準器に関するものである。
【背景技術】
【０００２】
従来、水準器としては、例えば、図８、９に示したようなものが存在する。この水準器は、住宅などの壁面に、コンセント設置穴や電源スイツチ穴のように寸法が規格化されている角穴を正確に穿設するに際して作業能率を大幅に高めることを可能とするとしており、以下のような構成としている。
【０００３】
先ず、この水準器は、正面２１ａの短寸方向寸法が５０〜５５ｍｍ、長手方向寸法が９５〜１００ｍｍで、所要の厚さをもつ透明合成樹脂製直方体形状のレベル本体２１の他の一面２１ｂに板状の磁石Ｍが固着されたものとしている。そして、前記レベル本体２１の内部に長手方向と短寸方向とに沿って水平、垂直位置測定用の透明な気泡管部２２、２２が相互に直交する方向に配置されたものとしている。各気泡管部２２は、レベル本体２１の内部に長手方向及び短寸方向に沿って中央部が僅かに膨らんだ穴２２ａが穿設されており、この穴２２ａの中央部両側に水平状態確認用マークとなる環状線２３が形成され且つその内部には気泡Ｂを残して液体Ｌが充填されて栓２４で密閉されている。
【０００４】
このような従来の水準器を用いて、壁面にコンセント部品２５を取り付ける場合には、図１０に示したように、壁面の角穴２６の縁部をコンセント部品２５とはさみ金具２７とで挟み、ネジＳで締結するときに、レベル本体２１をコンセント部品２５の側縁部に当接させる。そして、気泡管部２２の気泡Ｂの位置を確認しながら、ネジＳを締め付けることによりコンセント部品２５は正確に長手方向を垂直に保ったまま取り付けられる。次に、化粧カバー２８をコンセント部品２５に係止させたとき、図１１に示したように、この化粧カバー２８も適正姿勢となり、コンセント設置工事は完了するとしている（特許文献１）。
【先行技術文献】
【特許文献】
【０００５】
【特許文献１】特開平９−２１８０３７号公報
【考案の概要】
【考案が解決しようとする課題】
【０００６】
しかしながら、上記従来の水準器は、住宅などの壁面にコンセント部品２５を取り付ける場合には、作業能率を大幅に高め、非常に適したものとなっているが、住宅などの壁面に沿わせて、ガス管、水道管などの配管を行ったり、エアコンなどの空調被覆銅管の配管行ったり、これらの管体を保護するダクトの配設を行う場合に用いるには、これらの管体やダクトに固着しておくことができないので、使用し辛く作業能率を大幅に低下させるものとなるという問題点を有していた。
【０００７】
そこで、この考案は、上記従来の問題点を解決することをその課題としており、レベル本体を手で持たなくとも、管体やダクトの垂直度および水平度を測定することができ、これらの管体やダクトを建築物の壁面など取り付ける作業を両手で行えるようにした水準器を提供することを目的としてなされたものである。
【課題を解決するための手段】
【０００８】
そのため、この考案の水準器は、透明の合成樹脂製とした略直方体形状の二個のレベル本体１、２を組み合わせてなり、一方のレベル本体１の短手方向の内部に、水平度を測定するための透明の気泡管部３を水平方向に設け、前記気泡管部３と直交する方向のレベル本体１の側壁面に、磁石Ｍ1 を取り付けたものとし、他方のレベル本体２の長手方向の内部に、垂直度を測定するための透明の気泡管部５を垂直方向に設け、前記気泡管部５と平行な方向のレベル本体２の側壁面に、前記レベル本体１に取り付けた磁石Ｍ1 に対向して、この磁石Ｍ1 と引き合う磁石Ｍ2 を取り付けたものとしている。
【０００９】
さらに、この考案の水準器は、前記一方のレベル本体１の略直方体形状の任意の角部において、前記気泡管部３に４５度の角度で交差する向きに透明の気泡管部４を設けたものとしている。
【００１０】
また、この考案の水準器は、前記他方のレベル本体２の前後壁面において、前記磁石Ｍ2 を取り付けた側壁面と対向する他方の側壁面の近傍に、この側壁面と平行に長溝１２ａ、１２ｂを対向させて形成したものとし、さらに前記長溝１２ａ、１２ｂに嵌合して、前記レベル本体２を被測定物に設置するようにしたホルダー１３を組み合わせたものとしている。
【００１１】
さらに、この考案の水準器は、前記ホルダー１３を、縦長の枠体からなる保持体１４に止着ベルト１５を取り付け、この止着ベルト１５を被測定物に巻装して、前記レベル本体２を被測定物に設置できるようにしている。
【考案の効果】
【００１２】
この考案の水準器は、以上に述べたように構成されているので、レベル本体を手で持たなくとも、管体やダクトの垂直度および水平度を測定することができ、これらの管体やダクトを建築物の壁面など取り付ける作業を両手で行えるようになり、その作業が簡単に行え、作業効率も良いものとなる。
【図面の簡単な説明】
【００１３】
【図１】この考案の水準器の第一実施形態を示す斜視図である。
【図２】図１に示すこの考案の水準器を構成する一方のレベル本体の正面図である。
【図３】図１に示すこの考案の水準器を構成する一方のレベル本体の分解斜視図である。
【図４】図１に示すこの考案の水準器を構成する他方のレベル本体の分解斜視図である。
【図５】この考案の水準器の第二実施形態を示す斜視図である。
【図６】この考案の水準器の第一実施形態の使用状態を示す説明図である。
【図７】この考案の水準器の第二実施形態の使用状態を示す説明図である。
【図８】従来の水準器の一例を示す斜視図である。
【図９】図８に示す従来の水準器の正面図である。
【図１０】図８に示す従来の水準器の使用状態を示す正面図である。
【図１１】図８に示す従来の水準器を使用して壁面にコンセント部品を取り付け終わった状態を示す正面図である。
【考案を実施するための形態】
【００１４】
以下、この考案の水準器を実施するための形態を、図面に基づいて詳細に説明する。
【００１５】
第一実施形態としたこの考案の水準器は、図１〜４に示したように、透明の合成樹脂製とした縦長の平坦な略直方体形状の二個のレベル本体１、２を組み合わせてなるものとしている。なお、一方のレベル本体１は、他方のレベル本体２より大きくしているが、逆に他方のレベル本体２より小さくすることも、他方のレベル本体２と同じ大きさにすることもできる。
【００１６】
一方のレベル本体１は、このレベル本体１の短手方向の内部に、水平度を測定するための透明の気泡管部３を水平方向に設けたものとしており、前記気泡管部３と直交する方向のレベル本体１の側壁面に、磁石Ｍ1 を取り付けたものとしている。さらに、前記レベル本体１は、必要に応じて、略直方体形状の任意の角部において、前記気泡管部３に４５度の角度で交差する向きに透明の気泡管部４を設けたものとしている。また、前記レベル本体１は、必要に応じて、前記気泡管部３と平行な方向のレベル本体１の側壁面に、磁石Ｍ1 を取り付けたものとしている。
【００１７】
他方のレベル本体２は、このレベル本体２の長手方向の内部に、垂直度を測定するための透明の気泡管部５を垂直方向に設けたものとしており、前記気泡管部５と平行な方向のレベル本体２の側壁面に、前記レベル本体１に取り付けた磁石Ｍ1 に対向して、この磁石Ｍ1 と引き合う磁石Ｍ2 を取り付けたものとしている。さらに、前記レベル本体２は、必要に応じて、前記気泡管部５と直交する方向のレベル本体１の側壁面に、前記レベル本体１に取り付けたそれぞれの磁石Ｍ1 と引き合う磁石Ｍ2 を取り付けたものとしている。
【００１８】
なお、この考案において「透明」とは、レベル本体１、２の内部に設けた気泡管部３〜５が視認できたり、気泡管部３〜５内の気泡Ｂが視認できる程度の透明度であればよい。
【００１９】
前記レベル本体１は、前壁面１ａ、後壁面１ｂ、上側壁面１ｃ、下側壁面１ｄ、左側壁面１ｅ、右側壁面１ｆを有したものとしており、図示したものの実寸は、短手方向の寸法を４０〜６０ｍｍ、好ましくは５０ｍｍとし、長手方向の寸法を９０〜１１０ｍｍ、好ましくは１００ｍｍとし、厚さを１０〜２０ｍｍ、好ましくは１５ｍｍとしているが、特に限定されるものではない。また、前記レベル本体１は、前壁面１ａの中央から後壁面１ｂの中央にかけて罫書き用の孔Ｈを貫通させたものとしているが、この孔Ｈは必要に応じて設ければよい。さらに、前記レベル本体１には、必要に応じ、前壁面１ａまたは後壁面１ｂの端縁に寸法測定用の目盛り（図示せず）を設けておくこともできる。
【００２０】
前記レベル本体２は、前壁面２ａ、後壁面２ｂ、上側壁面２ｃ、下側壁面２ｄ、左側壁面２ｅ、右側壁面２ｆを有したものとしており、図示したものの実寸は、短手方向の寸法を２０〜４０ｍｍ、好ましくは３０ｍｍとし、長手方向の寸法を６０〜８０ｍｍ、好ましくは７０ｍｍとし、厚さを１０〜２０ｍｍ、好ましくは１５ｍｍとしているが、特に限定されるものではない。
【００２１】
前記気泡管部３は、レベル本体１の左右側壁面１ｅ、１ｆの一方の側壁面から内部にかけて水平方向に穿設されており、内方部の空間Ｓａと外方部の空間Ｓｂとが連設されたものとしており、内方部の空間Ｓａは中央部がわずかに膨らんだ円柱形状に形成しており、外方部の空間Ｓｂは内方部の空間Ｓａより少し径の大きい円柱形状に形成している。
【００２２】
前記気泡管部３の内方部の空間Ｓａは、中央部両側に水平状態を確認するためのマークとなる環状線Ｋ、Ｋが設けられ、その空間Ｓａには気泡Ｂを残して液体Ｌを収容し、合成樹脂製の止栓６で密閉している。
【００２３】
前記気泡管部３の外方部の空間Ｓｂは、磁石Ｍ1 を収納した合成樹脂製のキャップ７を充填して、このキャップ７の外周面７ｏを前記空間部Ｓｂの内周面Ｓｉに接着させ、さらに前記キャップ７の頭部面７ｈを前記レベル本体１の側面壁と面一になるようにしたものとしている。
【００２４】
前記気泡管部４は、レベル本体１の左側壁面１ｅまたは右側壁面１ｆの一方と、上側壁面１ｃまたは下側壁面１ｄの一方が交差する角部を落として傾斜壁面１ｇとし、この傾斜壁面１ｇから内部にかけて、前記気泡管部３に４５度の角度で交差する向きに穿設されており、内方部の空間Ｓａと外方部の空間Ｓｂとが連設されたものとしており、内方部の空間Ｓａは中央部がわずかに膨らんだ円柱形状に形成しており、外方部の空間Ｓｂは内方部の空間Ｓａより少し径の大きい円柱形状に形成している。
【００２５】
前記気泡管部４は、内方部の空間Ｓａには、中央部両側に水平状態を確認するためのマークとなる環状線Ｋ、Ｋが設けられ、気泡Ｂを残して液体Ｌを収容し、外方部の空間Ｓｂには、合成樹脂製の止栓６を充填して、この止栓６で密閉している。
【００２６】
さらに、前記レベル本体１は、気泡管部３を設けた側壁面の他の部分や、上側壁面１ｃまたは下側壁面１ｄの適当な部分には、これら側壁面や上側壁面１ｃまたは下側壁面１ｄから内部にかけてそれぞれ磁石Ｍ1 の設置穴８、９を設けたものとしている。これらの設置穴８、９には、磁石Ｍ1 を収納した合成樹脂製のキャップ７をそれぞれ充填して、これらキャップ７の外周面７ｏを前記設置穴８、９の内周面８ｉ、９ｉに接着させ、さらに前記キャップ７の頭部面７ｈを前記レベル本体１の各側壁面と面一になるようにしたものとしている。
【００２７】
前記気泡管部５は、レベル本体２の上側壁面２ｃまたは下側壁面２ｄから内部にかけて垂直方向に穿設されており、内方部の空間Ｓａと外方部の空間Ｓｂとが連設されたものとしており、内方部の空間Ｓａは中央部がわずかに膨らんだ円柱形状に形成しており、外方部の空間Ｓｂは内方部の空間Ｓａより少し径の大きい円柱形状に形成している。
【００２８】
前記気泡管部５の内方部の空間Ｓａは、中央部両側に水平状態を確認するためのマークとなる環状線Ｋ、Ｋが設けられ、その空間Ｓａには気泡Ｂを残して液体Ｌを収容し、合成樹脂製の止栓６で密閉している。
【００２９】
前記気泡管部５の外方部の空間Ｓｂは、磁石Ｍ2 を収納した合成樹脂製のキャップ７を充填して、このキャップ７の外周面７ｏを前記空間部Ｓｂの内周面Ｓｉに接着させ、さらに前記キャップ７の頭部面７ｈを前記レベル本体２の上側壁面２ｃまたは下側壁面２ｄと面一になるようにしたものとしている。
【００３０】
さらに、前記レベル本体２は、左右側壁面２ｅ、２ｆの一方の側壁面の適当な部分には、この側壁面から内部にかけて磁石Ｍ2 の設置穴１０、１１を設けたものとしている。これらの設置穴１０、１１には、磁石Ｍ2 を収納した合成樹脂製のキャップ７をそれぞれ充填して、これらキャップ７の外周面７ｏを前記設置穴１０、１１の内周面１０ｉ、１１ｉに接着させ、さらに前記キャップ７の頭部面７ｈを前記レベル本体２の側壁面と面一になるようにしたものとしている。
【００３１】
なお、前記磁石Ｍ1 、Ｍ2 は、ボタン形状の磁石体としているが、板形状の磁石体などとしてもよく、板形状の磁石体とした場合には、設置穴を設けることなく、側壁面に直に接着したものとすることができる。
【００３２】
また、前記気泡管部３〜５に収容される液体Ｌは、これらの気泡管部３〜５に直に充填することにより収容したものとしてもよいが、中央部がわずかに膨らんだ円柱形状のチューブ（図示せず）に液体Ｌを収容してから、このチューブを気泡管部３〜５にそれぞれ充填することにより収容したものとしてもよい。この場合には、前記環状線Ｋ、Ｋもこのチューブに設けたものとすることもできる。
【００３３】
第二実施形態としたこの考案の水準器は、図５に示したように、透明の合成樹脂製とした略直方体形状の二個のレベル本体１、２を組み合わせてなるものとしている。
【００３４】
そして、前記レベル本体１は、第一実施形態のものとまったく同様に構成されており、前記レベル本体２は、第一実施形態のものと同様とした構成に加えて、以下の構成を備えたものとしている。
【００３５】
すなわち、前記レベル本体２は、前後壁面２ａ、２ｂにおいて、前記磁石Ｍ2 を取り付けた左側壁面２ｅまたは右側壁面２ｆの一方と対向する他方の左側壁面２ｅまたは右側壁面２ｆの近傍に、この左側壁面２ｅまたは右側壁面２ｆと平行に長溝１２ａ、１２ｂを対向させて形成したものとし、さらに前記長溝１２ａ、１２ｂに嵌合して、前記レベル本体２を管体やダクトなどの被測定物に設置するようにしたホルダー１３を組み合わせたものとしている。
【００３６】
前記ホルダー１３は、縦長の枠体からなる保持体１４に止着ベルト１５を取り付け、この止着ベルト１５を管体やダクトなどの被測定物に巻装して、前記レベル本体２をこれら被測定物に設置できるようにしている。
【００３７】
前記保持体１４は、被測定物に沿うようにした接触壁１４ａに対向して左右側壁１４ｂ、１４ｃを形成したものとしており、これら左右側壁１４ｂ、１４ｃの上下部に前記止着ベルト１５の取付孔１６を設けたものとしている。さらに、前記左右側壁１４ｂ、１４ｃの間には、嵌合溝１４ｄを形成したものとしており、この嵌合溝１４ｄには、前記レベル本体２の長溝１２ａ、１２ｂに嵌合する張出体１７を突設すると共に、前記レベル本体２の側壁面に当接する張出体１８を突設し、これら張出体１７、１８によって、前記レベル本体２を保持体１４に保持しておけるようにしている。
【００３８】
前記止着ベルト１５は、面接着ファスナーなどからなるものとしており、巻装帯体１５ａの外周に押え帯体１５ｂを沿わせて、この押え帯体１５ｂの基端を巻装帯体１５ａに連結したものとしており、保持体１４の上下部の取付孔１６にそれぞれ巻装帯体１５ａを通し、これら巻装帯体１５ａを管体やダクトなどの被測定物に巻装して、それらの両端部どうしを面接着しておけるようにすると共に、保持体１４の張出体１７、１７間に前記押え帯体１５ｂを掛け渡し、保持体１４に保持したレベル本体２を前記押え帯体１５ｂどうしの間に位置させ、これら押え帯体１５ｂの自由端を前記巻装体１５ａにそれぞれ面接着しておけるようにしている。
【００３９】
以上のように構成したこの考案の水準器は、建築物の壁面などに沿わせて、ガス管、水道管などの配管を行ったり、エアコンなどの空調被覆銅管の配管を行ったり、これらの管体を保護するダクトの配設を行う場合には、次のようにして使用される。
【００４０】
第一実施形態としたこの考案の水準器では、図６（ａ）に示したように、電線、ケーブルなどのダクトの配設を行う場合に用いられる。この場合、被測定物であるダクトＤは、二分割体Ｄ1 、Ｄ2 からなり、これら分割体Ｄ1 、Ｄ2 を互いに嵌め合わせて一体となるものとしており、分割体Ｄ1 には長さ方向の所々に、壁面に取り付けるための取付孔１9 が設けられている。
【００４１】
そこで、前記ダクトＤの分割体Ｄ1 の外側面にレベル本体１をあてがうと共に、この分割体Ｄ1 の内側面にレベル本体２をあてがって、レベル本体１の磁石Ｍ1 とレベル本体２の磁石Ｍ2 を引き付け合わせることにより、ダクトＤの分割体Ｄ1 にこの考案の水準器を設置する。この設置した状態で、前記ダクトＤの分割体Ｄ1 を壁面に沿わせ、レベル本体１の気泡管部３の気泡Ｂの位置、およびレベル本体２の気泡管部５の気泡Ｂの位置によってダクトＤの分割体Ｄ1 の垂直度を確認し、この分割体Ｄ1 の取付孔１9 にビスやネジを差し込んで、ビス止めしたり、ネジ止めして、壁面に垂直に配設する。
【００４２】
また、前記ダクトＤを建築物の壁面などに水平に配設するには、前記したのと同様にして、前記ダクトＤの分割体Ｄ1 を壁面に沿わせ、レベル本体１の気泡管部３の気泡Ｂの位置、およびレベル本体２の気泡管部５の気泡Ｂの位置によってダクトＤの分割体Ｄ1 の水平度を確認し、この分割体Ｄ1 の取付孔１9 にビスやネジを差し込んで、ビス止めしたり、ネジ止めして、壁面に水平に配設する。
【００４３】
さらに、前記ダクトＤを建築物の壁面などに４５度の傾斜角で配設するには、前記したのと同様にして、前記ダクトＤの分割体Ｄ1 を壁面に沿わせ、レベル本体１の気泡管部４の気泡Ｂの位置によってダクトＤの分割体Ｄ1 の４５度の角度を確認し、この分割体Ｄ1 の取付孔１７にビスやネジを差し込んで、ビス止めしたり、ネジ止めして、壁面に４５度の傾斜角で配設する。
【００４４】
そして、図６（ｂ）に示したように、前記ダクトＤの分割体Ｄ1 の内側面に空調被覆銅管を沿わせ、図６（ｃ）に示したように、分割体Ｄ1 に分割体Ｄ2 を嵌め合わせれば、内部に空調被覆銅管が配管されたダクトＤが建築物の壁面などに垂直、水平または４５度の傾斜角で配設されることになる。
【００４５】
したがって、この第一実施形態とした水準器では、レベル本体１、２を手で持たなくとも、ダクトＤの垂直度や水平度、さらに４５度の傾斜角を測定することができ、このダクトＤを建築物の壁面など取り付ける作業を両手で行えるようになり、その作業が簡単に行え、作業効率も良いものとなる。
【００４６】
第二実施形態としたこの考案の水準器では、図７に示したように、ガス管、水道管などの配管を行う場合に用いられる。この場合、ガス管や水道管は、サドルベンドやＵボルトなどの支持金具によって建築物の壁面などに固定された状態で配管される。
【００４７】
先ず、ホルダー１３の保持体１４の上下部の取付孔１６に止着ベルト１５の巻装帯体１５ａをそれぞれ通して、これら巻装帯体１５ａをガス管や水道管などの管Ｐに巻装して、この管Ｐに前記保持体１４を装着する。そして、この保持体１４に前記レベル本体２を保持し、前記止着ベルト１５のそれぞれの押え帯体１５ｂを保持体１４の張出体１７、１７間に掛け渡し、これら押え帯体１５ｂ、１５ｂどうしの間に前記レベル本体２を位置させる。
【００４８】
そこで、前記ホルダー１３の保持体１４に保持されたレベル本体２の磁石Ｍ2 にレベル本体１の磁石Ｍ1 を引き付け合わせることにより、ガス管や水道管などの管Ｐにこの考案の水準器を設置する。この設置した状態で、前記管Ｐを壁面に沿わせ、レベル本体１の気泡管部３の気泡Ｂの位置、およびレベル本体２の気泡管部５の気泡Ｂの位置によって、前記管Ｐの垂直度を確認し、この管Ｐを前記支持金具によって壁面に垂直に配設する。
【００４９】
また、前記管Ｐを建築物の壁面などに水平に配設するには、前記したのと同様にして、前記管Ｐを壁面に沿わせ、レベル本体１の気泡管部３の気泡Ｂの位置、およびレベル本体２の気泡管部５の気泡Ｂの位置によって前記管Ｐの水平度を確認し、この管Ｐを前記支持金具によって壁面に水平に配設する。
【００５０】
さらに、前記管Ｐを建築物の壁面などに４５度の傾斜角で配設するには、前記したのと同様にして、前記管Ｐを壁面に沿わせ、レベル本体１の気泡管部４の気泡Ｂの位置によって前記管Ｐの４５度の角度を確認し、この管Ｐを前記支持金具によって壁面に４５度の傾斜角で配設する。
【００５１】
このようにすれば、ガス管や水道管などの管Ｐが建築物の壁面などに垂直、水平または４５度の傾斜角で配設されることになり、この第二実施形態とした水準器では、レベル本体１、２を手で持たなくとも、ガス管や水道管などの管Ｐの垂直度や水平度、さらに４５度の傾斜角を測定することができ、この管Ｐを建築物の壁面など取り付ける作業を両手で行えるようになり、その作業が簡単に行え、作業効率も良いものとなる。
【符号の説明】
【００５２】
１  レベル本体
２  レベル本体
３  気泡管部
４  気泡管部
５  気泡管部
１２ａ  長溝
１２ｂ  長溝
１３  ホルダー
１４  本体
１５  止着ベルト
Ｍ1   磁石
Ｍ2   磁石
【図１】
0003161116.tif 000003
【図２】
0003161116.tif 000004
【図３】
0003161116.tif 000005
【図４】
0003161116.tif 000006
【図５】
0003161116.tif 000007
【図６】
0003161116.tif 000008
【図７】
0003161116.tif 000009
【図８】
0003161116.tif 000010
【図９】
0003161116.tif 000011
【図１０】
0003161116.tif 000012
【図１１】
0003161116.tif 000013